(57)【要約】【課題】羽毛布団収納袋の羽毛布団収納時における上面側の中央部分の盛り上がりを従来に比べて低く出来て、しかも羽毛が折れにくい羽毛布団収納袋の提供。【解決手段】羽毛布団収納袋１００は、折り畳まれた羽毛布団１を内部に収納する平面視で略長方形状の羽毛布団収納袋１００であって、羽毛布団１を底面側から覆う底面部材１０と、羽毛布団を天面側から覆う天面部材２０と、底面部材１０の内面側に一方端が固定され、他方端が互いに着脱自在である、羽毛布団の折り畳まれた状態を維持する少なくとも一対の帯状部材３０、３１と、底面部材と天面部材とが対向する４辺の内の３辺において、底面部材と天面部材とを開閉可能にするスライドファスナー４０と、底面部材の外周縁部側に取り付けられた弾性力を有するワイヤー部材５０と、を備える。【選択図】図５
2015051772.tif 000002
【特許請求の範囲】
【請求項１】
折り畳まれた羽毛布団を内部に収納する矩形状の羽毛布団収納袋であって、
前記羽毛布団を底面側から覆う前記矩形状の底面部材と、
前記羽毛布団を天面側から覆う前記矩形状の天面部材と、
前記底面部材の内面側に一方端が固定され、他方端が互いに着脱自在である、前記羽毛布団の前記折り畳まれた状態を維持する少なくとも一対の帯状部材と、
前記底面部材と前記天面部材とが対向する４辺の内の３辺において、前記底面部材と前記天面部材とを開閉可能にする開閉部材と、
前記底面部材、及び前記天面部材の少なくとも一方の外周縁部側に取り付けられた弾性力を有するワイヤー部材と、を備えたことを特徴とする、羽毛布団収納袋。
【請求項２】
前記ワイヤー部材は、前記底面部材の外周縁部を取り囲む位置に取り付けられていることを特徴とする、請求項１に記載の羽毛布団収納袋。
【請求項３】
前記底面部材は、底面本体部と、前記底面本体部の外周部の４辺から立ち上がる様に配置された所定高さの側壁部とを有し、
前記ワイヤー部材は、前記側壁部と前記底面本体部との境界部を取り囲む位置に取り付けられていることを特徴とする、請求項１に記載の羽毛布団収納袋。
【請求項４】
前記ワイヤー部材は、前記側壁部の上端縁部を取り囲む位置にも取り付けられていることを特徴とする、請求項３に記載の羽毛布団収納袋。
【請求項５】
前記ワイヤー部材は、前記天面部材の外周縁部を取り囲む位置にも取り付けられていることを特徴とする、請求項３に記載の羽毛布団収納袋。
【発明の詳細な説明】
【技術分野】
【０００１】
本発明は、羽毛布団を収納するための羽毛布団収納袋に関する。
【背景技術】
【０００２】
従来より、羽毛布団等を収納するための袋として、平面視で略長方形状の上下一対の不織布を、４辺の内の１辺を互いに連結して残りの３辺をスライドファスナーで開閉可能とした、調湿と消臭機能を有する羽毛布団収納袋が知られている（例えば、特許文献１参照）。
【０００３】
また、羽毛布団等を樹脂フィルム製の収納袋に入れて、吸引口から収納袋内の空気を吸引して、収納袋内を圧縮減容状態として維持する構成の吸引密封式圧縮収納袋が知られている（例えば、特許文献２参照）
【先行技術文献】
【特許文献】
【０００４】
【特許文献１】実用新案登録第３１２４２４４号公報
【特許文献２】特開２００７−２０４０９７号公報
【発明の概要】
【発明が解決しようとする課題】
【０００５】
しかしながら、従来の上記羽毛布団収納袋の場合、羽毛布団を収納袋の中に収納した後の袋の高さは、平面視で中央部分が最も高く、周囲に向かうほど低くなり、全体として上面側の中央部分が盛り上がり、嵩高い外形状を成していた。そのため、押し入れに入れた場合に嵩張り、スペースの有効利用が出来ないという課題が有った。更に、これらの羽毛布団収納袋を複数積み重ねて押し入れに入れようとした場合、中央部分の盛り上がりによって、積み上げた羽毛布団収納袋同士の積み重ね面側に無駄なスペースが空いてしまい、全体としてスペースの有効利用が出来ないという課題が有った。
【０００６】
また、従来の上記吸引密封式圧縮収納袋の場合、吸引により圧縮された羽毛布団は、収納時における全体の嵩は低くなるが、羽毛が折れ易く、次に使用する際に、元の膨らみ状態に戻りにくいという課題があった。
【０００７】
本発明は、上記従来の課題に鑑みて、羽毛布団収納袋の羽毛布団収納時における上面側の中央部分の盛り上がりを従来に比べて低く出来て、しかも羽毛が折れにくい羽毛布団収納袋を提供することを目的とする。
【課題を解決するための手段】
【０００８】
上記目的を達成するために、第１の本発明は、
折り畳まれた羽毛布団を内部に収納する矩形状の羽毛布団収納袋であって、
前記羽毛布団を底面側から覆う前記矩形状の底面部材と、
前記羽毛布団を天面側から覆う前記矩形状の天面部材と、
前記底面部材の内面側に一方端が固定され、他方端が互いに着脱自在である、前記羽毛布団の前記折り畳まれた状態を維持する少なくとも一対の帯状部材と、
前記底面部材と前記天面部材とが対向する４辺の内の３辺において、前記底面部材と前記天面部材とを開閉可能にする開閉部材と、
前記底面部材、及び前記天面部材の少なくとも一方の外周縁部側に取り付けられた弾性力を有するワイヤー部材と、を備えたことを特徴とする、羽毛布団収納袋である。
【０００９】
また、第２の本発明は、
前記ワイヤー部材は、前記底面部材の外周縁部を取り囲む位置に取り付けられていることを特徴とする、上記第１の本発明の羽毛布団収納袋である。
【００１０】
また、第３の本発明は、
前記底面部材は、底面本体部と、前記底面本体部の外周部の４辺から立ち上がる様に配置された所定高さの側壁部とを有し、
前記ワイヤー部材は、前記側壁部と前記底面本体部との境界部を取り囲む位置に取り付けられていることを特徴とする、上記第１の本発明の羽毛布団収納袋である。
【００１１】
また、第４の本発明は、
前記ワイヤー部材は、前記側壁部の上端縁部を取り囲む位置にも取り付けられていることを特徴とする、上記第３の本発明の羽毛布団収納袋である。
【００１２】
また、第５の本発明は、
前記ワイヤー部材は、前記天面部材の外周縁部を取り囲む位置にも取り付けられていることを特徴とする、上記第３の本発明の羽毛布団収納袋である。
【発明の効果】
【００１３】
本発明によれば、羽毛布団収納袋の羽毛布団収納時における上面側の中央部分の盛り上がりを従来に比べて低く出来て、しかも羽毛が折れにくい。
【図面の簡単な説明】
【００１４】
【図１】本実施の形態１における羽毛布団収納袋の羽毛布団を内部に収納した状態を示す斜視図
【図２】本実施の形態１における羽毛布団収納袋の開口状態を示す斜視図
【図３】本実施の形態１における羽毛布団収納袋のワイヤーの取付状況を模式的に示す、図２におけるＡ−Ａ’の概略部分断面矢視図
【図４】本実施の形態１における羽毛布団収納袋への羽毛布団の収納途中状態を示す斜視図
【図５】本実施の形態１における羽毛布団収納袋への羽毛布団の収納完了状態を模式的に示す概略部分断面図
【図６】本実施の形態１の羽毛布団収納袋の平面図
【図７】（ａ）〜（ｅ）：本実施の形態１における羽毛布団収納袋の折り畳み方と、その手順を示す概略模式図
【図８】本発明の羽毛布団収納袋の別の構成例を示す概略斜視図
【図９】本発明の羽毛布団収納袋のまた別の構成例を示す概略斜視図
【図１０】本発明の羽毛布団収納袋の更に別の構成例を示す概略斜視図
【発明を実施するための形態】
【００１５】
以下に、図面を参照しながら本発明の羽毛布団収納袋の一実施の形態について説明する。
【００１６】
（実施の形態１）
まず、図１〜図３を用いて、本実施の形態１の羽毛布団収納袋１００の構成を説明する。
【００１７】
図１は、本実施の形態１における羽毛布団収納袋１００の羽毛布団１を内部に収納した状態を示す斜視図である。
【００１８】
図２は、本実施の形態１における羽毛布団収納袋１００の開口状態を示す斜視図である。
【００１９】
図３は、本実施の形態１における羽毛布団収納袋１００のワイヤー部材５０の取付状況を示す、図２におけるＡ−Ａ’の部分断面矢視図である。
【００２０】
図１、図２に示す通り、本実施の形態の羽毛布団収納袋１００は、羽毛布団１（図４参照）を底面側から覆う略長方形状の底面部材１０と、羽毛布団１を天面側から覆う略長方形状の天面部材２０と、底面部材１０の内面側の手前側と奥側にそれぞれ一方端３０ａ、３１ａが縫着され、他方端３０ｂ、３１ｂが雄型面状ファスナー３０ｃと雌型面状ファスナー３１ｃを介して互いに着脱自在である、折り畳まれた羽毛布団１を位置決めし折り畳まれた状態を維持するための一対の帯状部材３０、３１と、底面部材１０と天面部材２０とが対向する４辺の内の３辺において、底面部材１０と天面部材２０との合わせ部を開閉可能にするスライドファスナー４０と、底面部材１０の外周縁部側に挿入された弾性力を有する、断面が略長方形状のワイヤー部材５０と、底面部材１０の内面側の左右両端側にそれぞれ一方端６０ａ、６１ａが縫着され、他方端６０ｂ、６１ｂが、折り畳まれた羽毛布団１の左右両側面を覆う様に配設されて、スライドファスナー４０により羽毛布団１が噛み込まれることを防止する左右一対の保護部材６０、６１を備える。また、底面部材１０の４辺のコーナー部分は、滑らかな曲線形状を呈している。
【００２１】
尚、本実施の形態のスライドファスナー４０が、本発明の開閉部材の一例にあたる。
【００２２】
また、天面部材２０の左右両端側には、羽毛布団の入った羽毛布団収納袋１００を持ち運ぶ時や、羽毛布団を出して使用を終えた羽毛布団収納袋１００を折り畳む時に利用する左右一対の取っ手部材２１ａ、２１ｂが取り付けられている。
【００２３】
また、底面部材１０の外面側には、使用を終えて羽毛布団収納袋１００を折り畳む時に利用する収納補助部材１１が取り付けられている。即ち、収納補助部材１１は、その一方端が、底面部材１０の外面側に縫着されており、且つ、その表面には雌型面状ファスナー１１ａが縫着されており、他方端の表面には雄型面状ファスナー１１ｂが縫着されており、他方端を一方端側に折り曲げることで、これらファスナーを介して、底面部材１０の外面側に他方端が着脱可能となる様に構成されている。
【００２４】
ここで、底面部材１０、天面部材２０、一対の帯状部材３０、３１、左右一対の保護部材６０、６１は、何れも通気性を有する樹脂製の不織布であって、その不織布は、例えば、ポリプロピレンやポリエチレン等で構成されている。
【００２５】
また、羽毛布団が内部に収納されていない状態での羽毛布団収納袋１００の左右幅Ｗ（図１参照）は、概ね９０ｃｍであり、奥行きＤ（図１参照）は、概ね７０ｃｍであり、高さｈ（図５参照）は、概ね２ｃｍに設定されており、羽毛布団が内部に収納された場合、押し入れへの収納が容易となる。
【００２６】
次に、主として図３を参照しながら、羽毛布団収納袋１００のワイヤー部材５０の取付部分の構成について更に説明する。
【００２７】
図３に示す通り、平面視で略長方形状（図２、図６参照）の底面部材１０の４辺の内の３辺の縁部１０ａについてまず説明する。
【００２８】
即ち、３辺の縁部１０ａは、３辺の縁部１０ａの内面１０ｃ側に、スライドファスナー４０の一方側を構成する一方側スライドファスナー４０ａを保持する一方側スライドファスナー保持部材４１ａの端部が重ね合わされて、布製のバイアステープ部材４２で上下から覆うように挟んだ状態で互いに縫着されている。そして更に、その覆うように挟んだ結果、図３に示す様に、縫製されたバイアステープの断面が略Ｕ字状を呈しており、その略Ｕ字の湾曲した内面側の空洞部分４２ａにワイヤー部材５０が挿入された状態で、バイアステープ部材４２の両端部４２ｂ、４２ｂと、一方側スライドファスナー保持部材４１ａと、底面部材１０の縁部１０ａとが、全体として縫着された構成である。
【００２９】
次に、図３に示す通り、略長方形状の底面部材１０の４辺の内の残りの１辺の縁部１０ｂと、それに対応して配置された略長方形状の天面部材２０の４辺の内の１辺２０ｂとのバイアステープ部材４２による縫着について説明する。
【００３０】
即ち、底面部材１０の残りの１辺の縁部１０ｂは、その内面１０ｃ側に、天面部材２０の１辺２０ｂが重ね合わされて、布製のバイアステープ部材４２で上下から覆うように挟んだ状態で互いに縫着されている。そして更に、その覆うように挟んだ結果、図３に示す様に、縫製されたバイアステープの断面が略Ｕ字状を呈しており、その略Ｕ字の湾曲した内面側の空洞部分４２ａにワイヤー部材５０が挿入された状態で、バイアステープ部材４２の両端部４２ｂ、４２ｂと、天面部材２０の１辺２０ｂと、底面部材１０の残りの１辺の縁部１０ｂとが、全体として縫着された構成である。
【００３１】
この様に、本実施の形態の羽毛布団収納袋１００では、ワイヤー部材５０が、バイアステープ部材４２により、略長方形状の底面部材１０の外周縁部の全周を取り囲む様に配置される構成である。
【００３２】
これにより、ワイヤー部材５０は元の直線形状の状態に戻ろうとする弾性力（復元力）を有したまま、略長方形状の底面部材１０の外周縁部の全周を取り囲む様に配置されているので、底面部材１０は外周方向に伸びようとして張りつめた状態を維持している。
【００３３】
また、上記構成によれば、ワイヤー部材５０を取り付けるための部材を別途設ける必要が無く、底面部材１０と一方側スライドファスナー保持部材４１ａとの縫着、及び底面部材１０と天面部材２０の１辺２０ｂとの縫着に用いるバイアステープ部材４２の略Ｕ字の湾曲した内面側の空洞部分４２ａを積極的に有効利用しつつ、ワイヤー部材５０を最も効果の発揮出来る位置に配置出来る点で優れている。
【００３４】
尚、図３に示す構成を実現するための製造工程におけるワイヤー部材５０の取付方法としては、例えば、所定長に切断された直線形状の金属製の線材を準備しておき、底面部材１０と一方側スライドファスナー保持部材４１ａとの縫着、及び底面部材１０と天面部材２０の残りの１辺２０ｂとの縫着を、後工程でワイヤーを挿入するための挿入口を残した状態で、バイアステープ部材４２により、予め略Ｕ字の湾曲した内面側の空洞部分４２ａを確保する様に行った後、上記直線形状の金属製の線材を、その挿入口から空洞部分４２ａを利用して挿入した後、ワイヤーの両端部を円筒状の連結部材により連結して、その後、挿入口を完全に縫着することで実現しても良い。或いは、ワイヤーを所定長に切断した後、予め両端部を円筒状の連結部材により連結して略円形の無端形状に成形しておき、バイアステープ部材４２を縫着する時に、予め成形された無端形状のワイヤー部材５０をも同時に包み込む様に縫着することで実現しても良い。
【００３５】
また、略長方形状の天面部材２０の４辺の内の３辺の縁部２０ａと、スライドファスナー４０の他方側を構成する他方側スライドファスナー４０ｂを保持する他方側スライドファスナー保持部材４１ｂとの縫着部分の構成は（図５参照）、図３で説明した、略長方形状の底面部材１０の４辺の内の３辺の縁部１０ａと、一方側スライドファスナー保持部材４１ａとの縫着部分における構成と、基本的に同じであるが、ワイヤー部材５０が挿入されていない点のみが相違する。
【００３６】
次に、主として図２、図４、図５を用いて、上述した本実施の形態の羽毛布団収納袋１００の使用方法について説明する。
【００３７】
図４は、本実施の形態１における羽毛布団収納袋１００への羽毛布団１の収納途中状態を示す斜視図である。
【００３８】
図５は、本実施の形態１における羽毛布団収納袋１００への羽毛布団１の収納完了状態を示す概略部分断面図である。
【００３９】
まず、図２に示す様に、スライドファスナー４０を全開状態にして、天面部材２０を外側に向けて広げ、一対の帯状部材３０、３１を外側に向けて広げ、更に、左右一対の保護部材６０、６１を外側に向けて広げる。この時点で、ワイヤー部材５０の弾性力により、底面部材１０は外周方向に完全に伸びており、略長方形状を維持している。
【００４０】
次に、図４に示す様に、底面部材１０の内面１０ｃ上に、底面部材１０の内面１０ｃの形状より少し小さめに折り畳んだ羽毛布団１を載せて、一対の帯状部材３０、３１で包み込む様にして、雄型面状ファスナー３０ｃと雌型面状ファスナー３１ｃとを係合して、羽毛布団１の位置を固定するとともに折り畳まれた状態を維持する。この場合、一対の帯状部材３０、３１の一方端３０ａ、３１ａは、底面部材１０の内面側の手前側と奥側にそれぞれ縫着されているので、ワイヤー部材５０の弾性力により、底面部材１０は外周方向に完全に伸びると共に、一対の帯状部材３０、３１の一方端３０ａ、３１ａも、外周方向に完全に引っ張られた状態である。そのため、一対の帯状部材３０、３１で包み込まれた羽毛布団１は全体として上面側から下面側へと押さえ付ける力が適度に作用してその様な状態を維持する。
【００４１】
これにより、ワイヤー部材５０が設けられていない従来構成の場合の様に、帯状部材が底面部材と共に中央部に寄り集まってしまい収納袋の高さが大きく盛り上がるという現象が防止出来て、しかも羽毛が折れにくい。
【００４２】
そして、左右一対の保護部材６０、６１を、羽毛布団１の左右側面側を覆う様に被せ、更に天面部材２０を羽毛布団１の上に被せた後、スライドファスナー４０をスライドさせながら閉じる（図５参照）。
【００４３】
図５に示す様に、スライドファスナー４０を閉じることで、底面部材１０が外周方向に完全に伸びて略長方形状を維持させようとするワイヤー部材５０の弾性力は、天面部材２０側にも伝達されて、天面部材２０が外周方向に完全に伸びて略長方形状を維持するように作用する。
【００４４】
これにより、底面部材１０と天面部材２０は、それらの外周近傍の傾斜面１０ｄ、２０ｄを除きほぼ平面状態を維持するので（図５の高さＨ参照）、従来の様に、上下面の中央部分が盛り上がり全体として嵩高になることがなく、例えば、本実施の形態の羽毛布団収納袋１００を複数個積み重ねて押し入れに入れる場合でも、無駄なスペースの発生が抑制出来て、全体としてスペースの有効活用が出来て、しかも羽毛が折れにくい。
【００４５】
また、本実施の形態の羽毛布団収納袋１００の構成によれば、ワイヤー部材５０の弾性力により、底面部材１０が外周方向に完全に押し広げられているので、羽毛布団１を底面部材１０の内面１０ｃ上に載せる際に、従来の様に底面部材１０の内面１０ｃ上にそのスペースを確保するために、わざわざユーザーが内面１０ｃを手で押し広げてシワを伸ばしたりする必要が無く、羽毛布団収納時の手間が省け布団を入れ易い。
【００４６】
尚、図５に示した符号ｈは、本実施の形態の羽毛布団収納袋１００に羽毛布団１を収納した時の上下面の外周縁部間の距離、即ち、底面部材１０の縁部１０ａと天面部材２０の縁部２０ａとの距離を示しているが、この距離ｈは、羽毛布団収納袋１００に羽毛布団１を収納していない時の距離と同じである。一方、図５に示した符号Ｈは、羽毛布団収納袋１００に羽毛布団１を収納した時の、傾斜面１０ｄ、２０ｄを除きほぼ平面状態を維持している、底面部材１０と天面部材２０との距離（即ち、高さ）を示している。
【００４７】
例えば、シングルサイズ（２１０ｃｍ×１５０ｃｍ）の一般的な羽毛布団（充填量１．３ｋｇ中、ダウン８５％、フェザー１５％）を、先ず長手方向中央で二つに折り、更に三つ折りにした場合、本実施の形態の羽毛布団収納袋１００に入れた場合の収納袋の全体のサイズ（Ｗ×Ｄ×Ｈ）は、概ね８０×６８×２０（ｃｍ）になった。
【００４８】
これに対して、従来構成の一般的な収納袋の場合、羽毛布団を収納する前のサイズ（Ｗ×Ｄ×Ｈ）は、概ね８８×６５×１０（ｃｍ）であり、上記と同じ仕様のシングルサイズの羽毛布団を収納した後のサイズ（Ｗ×Ｄ×Ｈ）は、概ね８０×６０×３５（ｃｍ）となった。また、外観形状としては、上下面の中央部分が高さ方向に大きく盛り上がっていた。
【００４９】
次に、図６、図７（ａ）〜図７（ｅ）を用いて、羽毛布団収納袋１００を使用しない時に、その畳み易さを考慮した構成と、畳み方について説明する。
【００５０】
本実施の形態の羽毛布団収納袋１００は、上述した通り、底面部材１０の外周縁部にワイヤー部材５０が配置されているため、所定の手順に従うことで、折り畳み易さが格段に向上する。
【００５１】
図６は、本実施の形態の羽毛布団収納袋１００の天面部材２０側の平面図である。
【００５２】
図６に示す通り、本実施の形態の羽毛布団収納袋１００の天面部材側の４辺近傍の中央部には、それぞれ、折り畳み方の模式図と、その手順を示す番号１〜４が付された手順マーク８０ａ〜８０ｄが付されており、ユーザーが羽毛布団収納袋１００を片づけようとした時に、その手順マーク８０ａ〜８０ｄを利用することで、容易に折り畳むことが可能となる。
【００５３】
図７（ａ）〜図７（ｅ）は、羽毛布団収納袋１００の折り畳み方と、その手順を示す概略模式図である。
【００５４】
図７（ａ）は、ユーザーが、まず一方の手（例えば左手。但し図示省略）で、羽毛布団収納袋１００の天面部材２０の上面側を上から押さえ付けながら、他方の手（例えば右手。但し図示省略）で、天面部材２０の上端中央縁部（図６に示す手順マーク８０ａ参照）とその裏側の底面部材１０の上端中央縁部とを、その外周縁部に配置されているワイヤー部材５０とともに掴んで、底面部材１０の上端中央縁部が、ワイヤー部材５０の弾性力に逆らって天面部材２０の上面側の中央部当たりまで来るように折り返し、底面部材１０の上端中央縁部を掴んだまま他方の手の位置を維持している状態を示す。
【００５５】
図７（ｂ）は、ユーザーが、次に、一方の手で、天面部材２０の下端中央縁部（図６に示す手順マーク８０ｂ参照）とその裏側の底面部材１０の下端中央縁部とをワイヤー部材５０とともに掴んで、ワイヤー部材５０の弾性力に逆らって、他方の手で掴んでいる底面部材１０の上に被せる様に折り返し、底面部材１０の下端中央縁部を掴んだまま一方の手の位置を維持している状態を示す。
【００５６】
図７（ｃ）は、ユーザーが、次に、他方の手で天面部材２０の右端中央縁部（図６に示す手順マーク８０ｃ参照）とその裏側の底面部材１０の右端中央縁部とをワイヤー部材５０とともに掴んで、ワイヤー部材５０の弾性力に逆らって、一方の手で掴んでいる底面部材１０の上に被せる様に折り返し、底面部材１０の右端中央縁部を掴んだまま他方の手の位置を維持している状態を示す。
【００５７】
図７（ｄ）は、ユーザーが、次に、一方の手で、天面部材２０の左端中央縁部（図６に示す手順マーク８０ｄ参照）とその裏側の底面部材１０の左端中央縁部とをワイヤー部材５０とともに掴んで、ワイヤー部材５０の弾性力に逆らって、他方の手で掴んでいる底面部材１０の上に被せる様に折り返し、底面部材１０の左端中央縁部を掴んだまま一方の手の位置を維持している状態を示す。
【００５８】
図７（ｅ）は、図７（ｄ）に示した折り畳まれた状態の羽毛布団収納袋１００を両方の手で掴んだまま、上面と下面を逆転させて、収納補助部材１１が見える状態にして、取っ手部材２１ａを下面側に引き寄せて、収納補助部材１１の雌型面状ファスナー１１ａとで雄型面状ファスナー１１ｂとを利用して固定した状態を示す。
【００５９】
これにより、折り畳まれた状態の羽毛布団収納袋１００をコンパクトな形状を維持したまま片づけることが出来るとともに、次に、使用する時には、収納補助部材１１の固定を外すだけで、ワイヤー部材５０の弾性力により容易に元の形（略長方形状）に復元出来る。
【００６０】
（実施の形態２）
ここでは、図８〜図１０を用いて、上記実施の形態１とは異なるタイプの羽毛布団収納袋２００ａ〜２００ｃの構成を説明する。
【００６１】
図８〜図１０は、本発明の羽毛布団収納袋の別の構成例を示す概略斜視図である。
【００６２】
本実施の形態２と上記実施の形態１との主な相違点は、底面本体部１１０と天面部材２０の間に不織布で形成された側面部材２１０を設けた点と、ワイヤー部材５０を１本設けるタイプと２本設けるタイプを備えた点であり、その他の構成は、基本的に同じであるので、同じ構成には同じ符号を付しその説明を省略する。
【００６３】
尚、本実施の形態の側面部材２１０は、本発明の側壁部の一例にあたる。
【００６４】
図８に示す羽毛布団収納袋２００ａは、底面本体部１１０と天面部材２０の間に側面部材２１０を設けた構成であり、１本のワイヤー部材５０が、側面部材２１０と底面本体部１１０との縫着部（境界部）を取り囲む位置に配置されている。
【００６５】
即ち、図８に示す通り、底面本体部１１０の外周縁部（図３の符号１０ａ、１０ｂ参照）と側面部材２１０の下部外周縁部２１０ａは、バイアステープ部材４２（図５参照）を用いて縫着されており、且つ、バイアステープ部材４２の略Ｕ字の湾曲した内面側の空洞部分４２ａにワイヤー部材５０が挿入されている。また、側面部材２１０の上部外周縁部２１０ｂと、一方側スライドファスナー保持部材４１ａは、バイアステープ部材４２（図５参照）を用いて縫着されている。また、天面部材２０の外周縁部２０ｃと、他方側スライドファスナー保持部材４１ｂは、バイアステープ部材４２を用いて縫着されている。
【００６６】
また、羽毛布団収納袋２００ａの天面部材側の４辺の中央部には、それぞれ、折り畳み方の模式図と、その手順を示す番号１〜４が付された手順マーク８０ａ〜８０ｄが付されている。
【００６７】
よって、図７での説明と同様に、この手順マーク８０ａ〜８０ｄに従うことで、容易に折り畳むことが出来、また、次に、使用する時には、収納補助部材１１の固定を外すだけで、ワイヤー部材５０の弾性力により容易に元の形（略長方形状）に復元出来る。
【００６８】
また、図９に示す羽毛布団収納袋２００ｂは、底面本体部１１０と天面部材２０の間に側面部材２１０を設けた構成であり、１本のワイヤー部材５０が側面部材２１０と底面本体部１１０との縫着部（境界部）を取り囲む位置に配置されるとともに、他の１本のワイヤー部材５１が側面部材２１０の上部外周縁部２１０ｂを取り囲む位置にも配置されている。
【００６９】
即ち、図９に示す通り、底面本体部１１０の外周縁部（図３の符号１０ａ、１０ｂ参照）と側面部材２１０の下部外周縁部２１０ａは、バイアステープ部材４２（図５参照）を用いて縫着されており、且つ、バイアステープ部材４２の略Ｕ字の湾曲した内面側の空洞部分４２ａにワイヤー部材５０が挿入されている。
【００７０】
また、側面部材２１０の上部外周縁部２１０ｂと、一方側スライドファスナー保持部材４１ａは、バイアステープ部材４２（図５参照）を用いて縫着されており、且つ、バイアステープ部材４２の略Ｕ字の湾曲した内面側の空洞部分４２ａにワイヤー部材５１が挿入されている。また、天面部材２０の外周縁部２０ｃと、他方側スライドファスナー保持部材４１ｂは、バイアステープ部材４２を用いて縫着されている。
【００７１】
また、図７での説明と同様に、天面部材に付された手順マーク８０ａ〜８０ｄに従うことで、容易に折り畳むことが出来、また、次に、使用する時には、収納補助部材１１の固定を外すだけで、ワイヤー部材５０の弾性力により容易に元の形（略長方形状）に復元出来る。
【００７２】
また、図１０に示す羽毛布団収納袋２００ｃは、底面本体部１１０と天面部材２０の間に側面部材２１０を設けた構成であり、１本のワイヤー部材５０が側面部材２１０と底面本体部１１０との縫着部（境界部）を取り囲む位置に配置されるとともに、他の１本のワイヤー部材５１が天面部材２０の外周縁部２０ｃに配置されている。
【００７３】
即ち、図１０に示す通り、底面本体部１１０の外周縁部（図３の符号１０ａ、１０ｂ参照）と側面部材２１０の下部外周縁部２１０ａは、バイアステープ部材４２（図５参照）を用いて縫着されており、且つ、バイアステープ部材４２の略Ｕ字の湾曲した内面側の空洞部分４２ａにワイヤー部材５０が挿入されている。
【００７４】
また、側面部材２１０の上部外周縁部２１０ｂと、一方側スライドファスナー保持部材４１ａは、バイアステープ部材４２（図５参照）を用いて縫着されている。また、天面部材２０の外周縁部２０ｃと、他方側スライドファスナー保持部材４１ｂは、バイアステープ部材４２を用いて縫着されており、且つ、バイアステープ部材４２の略Ｕ字の湾曲した内面側の空洞部分４２ａにワイヤー部材５１が挿入されている。
【００７５】
以上の図８〜図１０の何れの構成でも、上記実施の形態１での説明と同様の理由により、底面本体部１１０と天面部材２０は、ともにほぼ平面状態を維持するので、従来の様に、上面側の中央部分が大きく盛り上がることがなく、例えば、本実施の形態の羽毛布団収納袋１００を複数個積み重ねて押し入れに入れる場合でも、無駄なスペースの発生が抑制出来て、全体としてスペースの有効活用が出来る。
【００７６】
尚、上記実施の形態では、ワイヤー部材５０として金属製の線材を用いた場合について説明したが、これに限らず例えば、樹脂製の線材等、容易に破損することが無く、弾性力を保持出来る線材であればどの様な材料を用いても良い。
【００７７】
また、断面が略長方形状のワイヤー部材５０を用いた場合について説明したが、これに限らず例えば、断面は、正方形、丸、又は楕円等、どの様な形状であっても良い。
【００７８】
また、上記実施の形態では、ワイヤー部材５０を底面部材１０の外周縁部に配置した場合について説明したが、これに限らず例えば、天面部材２０の外周縁部に配置した構成でも良い。尚、イヤー部材５０を底面部材１０の外周縁部に配置した構成の方がワイヤー部材５０の弾性力がより効果的に作用するので、天面部材２０の外周縁部に配置した構成よりも好ましい。
【００７９】
また、上記実施の形態では、図９、図１０において２本のワイヤー部材５０、５１が配置された構成例を示したが、これに限らず例えば、底面本体部１１０の外周縁部（図３の符号１０ａ、１０ｂ参照）と側面部材２１０の下部外周縁部２１０ａは、バイアステープ部材４２（図５参照）を用いて縫着されており、また、側面部材２１０の上部外周縁部２１０ｂと、一方側スライドファスナー保持部材４１ａは、バイアステープ部材４２（図５参照）を用いて縫着されており、且つ、バイアステープ部材４２の略Ｕ字の湾曲した内面側の空洞部分４２ａにワイヤー部材５１が挿入されており、また、天面部材２０の外周縁部２０ｃと、他方側スライドファスナー保持部材４１ｂは、バイアステープ部材４２を用いて縫着されており、且つ、バイアステープ部材４２の略Ｕ字の湾曲した内面側の空洞部分４２ａにワイヤー部材５１が挿入されている構成であっても良い。この場合でも上記と同様の効果を発揮する。但し、２本のワイヤー部材５０、５１が挿入されている構成では、少なくとも一本のワイヤー部材５０は、底面本体部１１０の外周縁部（図３の符号１０ａ、１０ｂ参照）と側面部材２１０の下部外周縁部２１０ａとの縫着部の空洞部分４２ａに配置されている構成の方がより好ましい。
【００８０】
また、上記実施の形態では、一対の帯状部材３０、３１を備えた場合の構成について説明したが、これに限らず例えば、複数対の帯状部材を備えた構成であっても良い。具体的には、図２に示した、羽毛布団１が噛み込まれることを防止する左右一対の保護部材６０、６１に代えて、一対の帯状部材３０、３１と同じ機能を有する、左右一対の保護部材（図示省略）を備えた構成でも良い。
【００８１】
また、上記実施の形態では、底面部材１０の内面側の左右両端側にそれぞれ一方端６０ａ、６１ａが縫着され、他方端６０ｂ、６１ｂが、折り畳まれた羽毛布団１の左右両側面を覆う様に配設されて、スライドファスナー４０により羽毛布団１が噛み込まれることを防止する左右一対の保護部材６０、６１を備えた構成について説明したが、これに限らず例えば、スライドファスナー４０により羽毛布団１が噛み込まれることを防止するための保護部材を、スライドファスナー４０が設けられている３辺全体に亘って配置した構成でも良い。その場合、例えば、一対の帯状部材３０、３１の内の前側の帯状部材３０と、スライドファスナー４０との配置関係は、前側の帯状部材３０とスライドファスナー４０との間に保護部材が配置される関係となる。
【００８２】
また、上記実施の形態では、底面部材１０、天面部材２０、側面部材２１０等が不織布で構成されている場合について説明したが、これに限らず例えば、これらの部材の全部または一部において、通気性を有する不織布と、通気性及び消臭性を有する中材と、通気性を有する不織布の三層構造であっても良い。
【産業上の利用可能性】
【００８３】
本発明の羽毛布団収納袋によれば、羽毛布団収納袋の羽毛布団収納時における上面側の中央部分の盛り上がりを従来に比べて低く出来て、しかも羽毛が折れにくいという効果を発揮し、例えば、羽毛布団、こたつ布団、衣類、ダンウンコートなどを収納する収納袋として有用である。
【符号の説明】
【００８４】
１  羽毛布団
１０  底面部材
２０  天面部材
３０、３１  一対の帯状部材
３０ａ、３１ａ  一方端
３０ｂ、３１ｂ  他方端
３０ｃ  雄型面状ファスナー
３１ｃ  雄型面状ファスナー
４０  スライドファスナー
５０、５１  ワイヤー部材
６０、６１  左右一対の保護部材
１００、２００ａ、２００ｂ、２００ｃ  羽毛布団収納袋
【図１】
2015051772.tif 000003
【図２】
2015051772.tif 000004
【図３】
2015051772.tif 000005
【図４】
2015051772.tif 000006
【図５】
2015051772.tif 000007
【図７】
2015051772.tif 000008
【図８】
2015051772.tif 000009
【図９】
2015051772.tif 000010
【図１０】
2015051772.tif 000011
【図６】
2015051772.tif 000012